(57)【要約】【課題】構造が簡単で、余分なスペースを占めることがなく、容易に頭頂部を見ることのできる鏡体を備えたミラーキャビネットを提供する。【解決手段】洗面化粧台のミラー部１の上方に上端が手前に突出する張り出し斜面を設けてなるミラーキャビネットの構造であって、この張り出し斜面が鏡体からなる傾斜鏡２であるミラーキャビネットＡ。上記張り出し斜面をミラーキャビネット本体３から構成するとともに、傾斜鏡２は、その下端２２が上記ラーキャビネット本体３にヒンジ結合され、上端２１を手前に回動自在とすることもできる。【選択図】図２
2009000414.tif 000002
【特許請求の範囲】
【請求項１】
洗面化粧台のミラー部の上方に上端が手前に突出する張り出し斜面を設けてなるミラーキャビネットであって、この張り出し斜面が鏡体からなる傾斜鏡であるミラーキャビネット。
【請求項２】
上記張り出し斜面をミラーキャビネット本体から構成するとともに、傾斜鏡は、その下端が上記ラーキャビネット本体にヒンジ結合され、上端が手前に回動自在とされた請求項１に記載のミラーキャビネット。
【請求項３】
洗面化粧台のミラー部の上方に上端が手前に突出する張り出し斜面を設けてなるミラーキャビネットであって、この張り出し斜面をミラーキャビネット本体から構成するとともに、上記張り出し斜面の上端部に反射鏡の上端がヒンジ結合され、下端が回動自在とされたミラーキャビネット。
【請求項４】
上記ミラー部を三面鏡で構成するとともに、主鏡と左面鏡との間および主鏡と右面鏡との間にそれぞれ照明装置が並設された請求項３に記載のミラーキャビネット。
【発明の詳細な説明】
【技術分野】
【０００１】
本発明は、洗面化粧台の上部を構成するミラーキャビネットに関する。さらに詳しくは、頭頂部を容易に見ることのできるミラーキャビネットの構造に関する。
【背景技術】
【０００２】
近年、カツラ、部分カツラ、おしゃれ用カツラ等を着けたり、あるいは白髪隠しのみならず、髪の毛をいろいろな色に染めておしゃれを楽しむ人が増えている。このような使用者はカツラの着け具合、髪の毛の染め具合等を確認するために度々、鏡で頭頂部を見る必要がある。しかしながら、現在普及している鏡は洗面化粧台のミラーキャビネットに備えられた三面鏡タイプのものが多く、左右の側面を見るには都合がよいが、頭頂部を確認することは困難である場合が多い。
【０００３】
このような問題を解決するため、例えば、下記特許文献１には、後姿、後頭部、横姿、横顔など、普段見えないところを、反射鏡を使用して、いろいろな部分をはっきりと見ることのできる洗面化粧台一体型反射鏡が提案されている。上記洗面化粧台一体型反射鏡は、下記特許文献１の図１に示されているように、洗面化粧台本体の最上部に突設された反射鏡主軸に反復式軸が支持され、この反復式軸に繋がれた外枠に反射鏡が回転式に取り付けられている。
【特許文献１】登実登３０４５１３５号公報（第２６、２７頁、第１図）
【発明の開示】
【発明が解決しようとする課題】
【０００４】
しかしながら、上記特許文献１に記載の洗面化粧台一体型反射鏡は、構造が複雑であるため、低廉なコストで製造することが困難であり、また、不使用のときは、狭い洗面化粧室で余分な空間を占めて邪魔になるという問題がある。
【０００５】
本発明は、このような問題を解決して、構造が簡単で、余分なスペースを占めることがなく、容易に頭頂部を見ることのできる鏡体を備えたミラーキャビネットを提供することを、その課題とする。
【課題を解決するための手段】
【０００６】
上記課題を解決するために、本発明においては、つぎのような技術的手段を講じている。すなわち、請求項１に記載の第１発明によれば、洗面化粧台のミラー部の上方に上端が手前に突出する張り出し斜面を設けてなるミラーキャビネットであって、この張り出し斜面が鏡体からなる傾斜鏡であるミラーキャビネットが提供される。
【０００７】
請求項２に記載のミラーキャビネットは、請求項１に記載の発明に加えて、上記張り出し斜面をミラーキャビネット本体から構成するとともに、傾斜鏡は、その下端が上記ラーキャビネット本体にヒンジ結合され、上端が手前に回動自在とされる。
【０００８】
請求項３に記載の第２発明によれば、洗面化粧台のミラー部の上方に上端が手前に突出する張り出し斜面を設けてなるミラーキャビネットであって、この張り出し斜面をミラーキャビネット本体から構成するとともに、上記張り出し斜面の上端部に反射鏡の上端がヒンジ結合され、下端が回動自在とされたミラーキャビネットが提供される。
【０００９】
請求項４に記載のミラーキャビネットは、請求項３に記載の発明に加えて、ミラー部を三面鏡で構成するとともに、主鏡と左面鏡との間および主鏡と右面鏡との間にそれぞれ照明装置が並設される。
【発明の効果】
【００１０】
請求項１に記載の第１発明にかかるミラーキャビネットは上記のとおりであり、洗面化粧台のミラー部の上方に上端が手前に突出する張り出し斜面を設け、この張り出し斜面を鏡体から構成してなるため、使用者は、容易に自分の頭頂部を見ることが可能であり、使用者は、カツラを着けたり、髪の毛を染めたとき等、自分の見たい個所や、確認したい部分を容易に映すことができる。
【００１１】
請求項２に記載のミラーキャビネットは上記のとおりであり、請求項１のミラーキャビネットの有する効果に加え、上記張り出し斜面をミラーキャビネット本体から構成し、上記傾斜鏡の下端が上記ミラーキャビネット本体にヒンジ結合されているため、上端が手前に回動自在となり、使用者は、カツラを着けたり、髪の毛を染めたとき等、傾斜鏡の上端を下へ向ける角度を調整し、自分の見たい個所や、確認したい部分を、容易に映して確認したり、手直しすることができる。
【００１２】
請求項３に記載の第２発明にかかるミラーキャビネットは上記のとおりであり、洗面化粧台のミラー部の上方に上端が手前に突出する張り出し斜面を形成し、この張り出し斜面をミラーキャビネット本体から構成するとともに、上記張り出し斜面の上端部に反射鏡の上端をヒンジ結合することにより、下端が回動自在となり、上記反射鏡の下端の角度を容易に調整することが可能で、合わせ鏡として上方から頭頂部を映すことができる。
【００１３】
また、反射鏡を使用しないときは、反射面の裏面が張り出し斜面を形成するため、この裏面をミラーキャビネット本体と同じ材質、色で統一することにより、外観的に調和が取れ、デザイン的にも優れたミラーキャビネットとすることができる。
【００１４】
請求項４に記載の第２発明にかかるミラーキャビネットは上記のとおりであり請求項３のミラーキャビネットの有する効果に加え、ミラー部を三面鏡で構成するとともに、主鏡と左面鏡との間および主鏡と右面鏡との間にそれぞれ照明装置を並設することにより、使用者は自分の正面をより明るく、正確に見ることができるとともに、反射鏡を使用するときは、自分の頭頂部も照明効果により正確に確認することができる。
【発明を実施するための最良の形態】
【００１５】
以下、本発明の実施形態について図面を参照して詳細に説明する。図１は、本願第１発明にかかるミラーキャビネットＡを示す外観斜視図である。図１に示すように、上記ミラーキャビネットＡのミラー部１は、主鏡１１と左面鏡１２と右面鏡１３とからなる三面鏡からなり、この三面鏡の上部に連続して上端が手前に突出した傾斜鏡２が設けられる。上記ミラーキャビネットＡは図外洗面キャビネットの上部に配置され、洗面化粧台を構成する。
【００１６】
図１に示すように、張り出し斜面を鏡体で形成してなる上記傾斜鏡２は、斜め下方を映すように設けられているため、使用者は、容易に自分の頭頂部を見ることができ、カツラを着けたり、髪の毛を染めたとき等、自分の見たい頭頂部の特定個所や、確認したい部分を容易に映すことができる。
【００１７】
図２は、上記第１発明の応用例にかかるミラーキャビネットＢを示す側面図である。図２に示すように、上記ミラーキャビネットＢにおいては、上記張り出し斜面をミラーキャビネット本体３から構成するとともに、傾斜鏡２は、その下端２２が上記ミラーキャビネット本体３にヒンジ４でヒンジ結合され、その上端２１は手前に回動自在とされている。このように、上記上端２１が手前に角度を調整して回動自在とされているため、使用者は、カツラを着けたり、髪の毛を染めたとき等、自分の見たい個所や、確認したい部分を傾斜鏡２の上端２１を手前に回動する角度を調整することにより、カツラの装着具合や、髪の毛の染め具合をより容易に確認したり、手直しすることができる。
【００１８】
図３は、本願第２発明にかかるミラーキャビネットＣを示す側面図である。図３に示すように、上記ミラーキャビネットＣにおいては、上記張り出し斜面をミラーキャビネット本体３から構成するとともに、反射鏡５が、その上端５１を上記張り出し斜面の上端部にヒンジ６でヒンジ結合することにより、回動自在に設けられている。
【００１９】
図３に示すように、反射鏡５の上端５１がヒンジ結合されているため、下端５２を上方に回動することにより、反射鏡５の鏡面をより高い位置とし、合わせ鏡として上方から頭頂部を映すことが可能となる。そして、使用者は、回動する角度を調整してさらに容易にカツラの装着具合や、髪の毛の染め具合等を確認したり、手直しすることができる。また、反射鏡５を使用しないときは、ミラーキャビネット本体３に重ね合わせて収めることができる。このとき、反射面５ａの裏面５ｂが張り出し斜面を形成するため、この裏面５ｂをミラーキャビネット本体３と同じ材質、色等で統一することにより、外観的に調和が取れ、デザイン的にも優れたミラーキャビネットとすることができる。
【００２０】
図４は、本願第２発明の改良例を示す斜視図である。図４に示すように、ミラーキャビネットＣのミラー部１を構成する三面鏡の、主鏡１１と左面鏡１２との間に左照明装置７１を、また、主鏡１１と右面鏡１３との間に右照明装置７２が並設されている。図４に示すように、正面に２個の左右照明装置７１、７２が設けられているため、使用者は自分の正面をより明るく、正確に見ることができ、また、反射鏡５を使用するときは、自分の頭頂部も照明効果により正確に確認することができる。
【００２１】
図５は、上記左右照明装置７１、７２が設けられたミラーキャビネットＣを洗面キャビネットＤに装着し、洗面化粧台とした状態を示す斜視図である。図５に示されているように、反射鏡５の裏面５ｂが三面鏡上部に連続して張り出し斜面を形成しているため、外観的に調和が取れ、デザイン的にも優れた洗面化粧台とすることができる。
【００２２】
また、使用者が自分の頭頂部を見たいときは、図３に示すように、反射鏡５の下端５２を上方に回動すれば、回動角度を自由に調整して合わせ鏡として頭頂部を確認でき、カツラの装着具合や、髪の毛の染め具合等を容易に確認したり、手直しすることができる。なお、図３、図４、図５において反射鏡５の裏面５ｂを、ミラーキャビネット本体３と同じ材質、色で統一した場合を示したが、これに限られず、裏面５ｂを鏡面とすることも可能である。このように、本発明は設計変更自在であり、特許請求の範囲を逸脱しない限り、本発明の技術的範囲に属する。
【図面の簡単な説明】
【００２３】
【図１】第１発明にかかるミラーキャビネットを示す外観斜視図である。
【図２】第１発明の応用例にかかるミラーキャビネットを示す側面図である。
【図３】第２発明にかかるミラーキャビネットを示す側面図である。
【図４】第２発明の改良例を示す斜視図である。
【図５】図４に示すミラーキャビネットを洗面キャビネットに装着し洗面化粧台とした状態を示す斜視図である。
【符号の説明】
【００２４】
Ａ          第１発明にかかるミラーキャビネット
１          ミラー部
１１        主鏡
１２        左面鏡
１３        右面鏡
２          傾斜鏡
Ｂ          第１発明の応用例にかかるミラーキャビネット
２１        傾斜鏡の上端
２２        傾斜鏡の下端
３          ミラーキャビネット本体
４          ヒンジ
Ｃ          本願第２発明にかかるミラーキャビネット
５          反射鏡
５１        上端
５２        下端
５ａ        反射面
５ｂ        裏面
６          ヒンジ
７１        左照明装置
７２        右照明装置
Ｄ          洗面キャビネット
【図１】
2009000414.tif 000003
【図２】
2009000414.tif 000004
【図３】
2009000414.tif 000005
【図４】
2009000414.tif 000006
【図５】
2009000414.tif 000007